(57)【要約】【課題】フェースアップ排出機構を有していても、ユーザに手間をかけずに、記録用紙を画データの受信順序に容易に揃えられる通信装置を提供する。【解決手段】フェースアップ排出機構しか有していないファクシミリ装置２０にあって、受信した１ページ分の画データに応じた画像を給紙カセット３１から供給された白色の用紙の表面に記録した後、その用紙を外部へ排出せずに、スイッチバック路３３に搬送させてその表裏を反転させて、搬送路３２から再度画像転写位置に搬送させ、その用紙の裏面全域に白画像を記録し、裏面を上方にして記録用紙を排出トレイ３０へ排出する。裏面には何も画像が記録されていないことになるので、フェースアップ排出機能によって記録用紙が排出されても、記録面が下方で非記録面が上方となるフェースダウン方式の排出となる。【選択図】        図２
2005020300.tif 000002
【特許請求の範囲】
【請求項１】
受信した画データに応じた画像をシートに記録し、画像が記録されたシートをフェースアップ方式にて排出する機構を有する通信装置において、シートの両面に対する画像記録を行う記録手段を備えており、片面に画像が記録されたシートを、前記記録手段を使用して反転させて排出するようにしたことを特徴とする通信装置。
【請求項２】
前記記録手段は、画像をシートに形成する画像形成手段部と、該画像形成手段により片面に画像が形成されたシートを再び前記画像形成手段へ転送する転送手段とを有しており、一方の面に画像が形成されたシートが再び前記画像形成手段へ転送された際に、前記シートの他方の面に前記シートと同色の画像を形成すべくなしてあることを特徴とする請求項１記載の通信装置。
【請求項３】
受信した画データを１ページずつ格納する第１格納手段と、受信した全ページの画データを格納する第２格納手段とを備えることを特徴とする請求項１または２記載の通信装置。
【発明の詳細な説明】
【０００１】
【発明の属する技術分野】
本発明は、画像が記録されたシートをフェースアップ方式にて排出する機構を有するファクシミリ装置などの通信装置に関する。
【０００２】
【従来の技術】
画データに応じた画像をシートとしての用紙に記録する画像記録装置にあっては、画像が記録された用紙を排出する方式として、画像が記録された面を上方に向けて用紙を排出するフェースアップ方式と、画像が記録された面を下方に向けて用紙を排出するフェースダウン方式とが存在する。そして、これらのフェースアップ方式とフェースダウン方式とを切り換えるようにした種々の画像記録装置が提案されている（例えば、特許文献１，２，３参照）。
【０００３】
【特許文献１】
特開平７−２４４４４７号公報
【特許文献２】
特開平９−８９９３号公報
【特許文献３】
特開２０００−１９１２０６号公報
【０００４】
【発明が解決しようとする課題】
受信した画データに応じた画像を記録するファクシミリ装置にあっては、フェースアップ方式とフェースダウン方式との両方の機能を果たせるようにした場合に、搭載される部材の品数も多くなり、装置全体の大嵩化が避けられないことになるため、ファクシミリ装置では、フェースアップ方式とフェースダウン方式との何れか一方のみの機能に固定されていることが一般的である。
【０００５】
フェースダウン方式での用紙排出機構を有するファクシミリ装置では、受信した１ページ毎の画像を用紙に順次記録して排出させても、排出後の積層された記録用紙を一括して裏返せば、記録用紙が受信順に揃っている。これに対して、フェースアップ方式での用紙排出機構を有するファクシミリ装置において、受信した１ページ毎の画像を用紙に順次記録して排出させた場合には、記録用紙が受信順に揃わない。よって、この場合には、ユーザが記録用紙を受信順に揃え直すという面倒な処理を行う必要がある。
【０００６】
そこで、このようなユーザの面倒な処理を省けるように、フェースアップ方式のファクシミリ装置では、受信した全ページの画データを一旦画像メモリに格納し、その後、最終ページから順番に画データに応じた画像を用紙に記録し、画像が記録された用紙を、画像記録面を上方にして排出する。このようにすれば、積層された記録用紙はそのままの状態で受信順に揃うことになる。
【０００７】
上述した方法では、ユーザの手間をかけることなく、確かに記録用紙を画データの受信順序に揃えることが可能である。しかしながら、受信した全ページの画データを一旦画像メモリに格納しておかなければならないので、画データを格納しておくために大容量の格納手段を設ける必要があるという問題がある。
【０００８】
本発明は斯かる事情に鑑みてなされたものであり、両面記録を行う機能を利用して記録シートを反転させて排出するように構成することにより、画データを格納する格納手段の容量が少なくても、ユーザに手間をかけずに、記録シートを画データの受信順序に容易に揃えられる通信装置を提供することを目的とする。
【０００９】
【課題を解決するための手段】
請求項１に係る通信装置は、受信した画データに応じた画像をシートに記録し、画像が記録されたシートをフェースアップ方式にて排出する機構を有する通信装置において、シートの両面に対する画像記録を行う記録手段を備えており、片面に画像が記録されたシートを、前記記録手段を使用して反転させて排出するようにしたことを特徴とする。
【００１０】
請求項１にあっては、片面に画像が記録されたシートを、両面記録を行う記録手段を使用して、反転させた後に排出する。よって、記録シートがフェースダウン方式のように排出されることになるため、記録シートは画データの受信順序に容易に揃えられる。
【００１１】
請求項２に係る通信装置は、請求項１において、前記記録手段は、画像をシートに形成する画像形成手段部と、該画像形成手段により片面に画像が形成されたシートを再び前記画像形成手段へ転送する転送手段とを有しており、一方の面に画像が形成されたシートが再び前記画像形成手段へ転送された際に、前記シートの他方の面に前記シートと同色の画像を形成すべくなしてあることを特徴とする。
【００１２】
請求項２にあっては、受信した画データに応じた画像を例えば白色のシートの一方の面に記録した後、そのシートを反転させて再び画像形成手段へ転送させ、画像が記録されていない他方の面に白画像を記録してフェースアップで排出する。よって、記録シートがフェースダウン方式のように排出されることになるため、記録シートは画データの受信順序に容易に揃えられる。両面記録時と同じ転送経路を利用して白画像を記録するため、シート反転用としての特別な転送経路は不要である。
【００１３】
請求項３に係る通信装置は、請求項１または２において、受信した画データを１ページずつ格納する第１格納手段と、受信した全ページの画データを格納する第２格納手段とを備えることを特徴とする。
【００１４】
請求項３にあっては、受信した画データを１ページずつ順次シートに記録していっても、記録シートを受信順序に揃えられるため、通常は受信した画データを第１格納手段に１ページずつ格納し、マルチ記録処理または時間予約記録処理を行う場合には受信した全ページの画データを第２格納手段に格納する。よって、画データを格納する手段を効率的に利用できる。また、１ページ毎に第１格納手段の格納内容を削除できるため、１ページ分の画データを格納するための容量で十分であり、大容量の画データ格納手段は不要である。
【００１５】
【発明の実施の形態】
以下、本発明をその実施の形態を示す図面を参照して具体的に説明する。
図１は、本発明の通信装置としてのファクシミリ装置の構成を示すブロック図であり、本発明のファクシミリ装置２０は、制御部１，読取部２，記録部３，表示部４，操作部５，ＲＯＭ６，ＲＡＭ７，符号化・復号化部８，ページバッファメモリ９，画像メモリ１０，モデム１１，ＮＣＵ（Ｎｅｔｗｏｒｋ  Ｃｏｎｔｒｏｌ  Ｕｎｉｔ）１２などを備えている。
【００１６】
制御部１は、具体的にはＣＰＵで構成されており、バス１３を介してファクシミリ装置２０の上述したようなハードウェア各部と接続されていて、それらを制御すると共に、ＲＯＭ６に格納されたコンピュータプログラムに従って、種々のソフトウェア的機能を実行する。読取部２は、例えばＣＣＤを利用したスキャナで原稿を読み取り、読み取った画データを出力する。
【００１７】
記録部３は、電子写真方式のプリンタ装置であって、ファクシミリ通信により受信した画データ、読取部２にて読み取った原稿の画データなどに応じた画像をプリントアウトする。記録部３は、画像が記録された面を上方にして用紙を排出するフェースアップ排出機構を有すると共に、用紙の両面に画像を記録する両面記録機構を有している。この記録部３の構成については後述する。
【００１８】
表示部４は、液晶表示装置またはＣＲＴディスプレイ等の表示装置であり、ファクシミリ装置２０の動作状態を表示したり、送信すべく読み取った原稿の画データ、他のファクシミリ装置から受信した画データなどの表示を行う。操作部５は、ファクシミリ装置２０を操作するために必要な文字キー，テンキー，短縮ダイヤルキー，ワンタッチダイヤルキー，各種のファンクションキーなどを備えている。なお、表示部４をタッチパネル方式とすることにより、操作部５の各種のキーの内の一部または全部を代用することも可能である。
【００１９】
ＲＯＭ６は、ファクシミリ装置２０の動作に必要な種々のソフトウェアのプログラムを予め格納している。ＲＡＭ７は、ＳＲＡＭまたはフラッシュメモリ等で構成され、ソフトウェアの実行時に発生する一時的なデータなどを記憶する。符号化・復号化部８は、画データをＭＭＲ方式，ＪＢＩＧ方式などで符号化圧縮すると共に、符号化圧縮されているデータを元の画データに復号化する。
【００２０】
第１格納手段としてのページバッファメモリ９は、通常時に、受信した画データ（ビットマップのイメージデータ）を１ページずつ格納する。第２格納手段としての画像メモリ１０は、マルチ記録処理（複数枚の記録処理）または時間予約記録処理（記録時間を設定した記録処理）を行う場合に、受信した全ページの画データを符号化圧縮したデータを格納する。ページバッファメモリ９は、他のファクシミリ装置から受信した画データの通常の格納に関しては、１ページ分の画データを受信するたびに、格納されている前ページの画データを削除するため、１ページ分の画データの容量しか必要としない。
【００２１】
モデム１１は、バス１３に接続されており、ファクシミリ通信が可能なファクシミリモデムから構成されている。また、モデム１１は、同様にバス１３に接続されたＮＣＵ１２と直接的に接続されている。ＮＣＵ１２は、電話回線網との回線Ｌの閉結及び開放の動作を行うハードウェアであり、必要に応じてモデム１１を電話回線網と接続する。
【００２２】
図２は、フェースアップ排出機構と両面記録機構とを有する記録部３の構成例を示す縦断面図である。記録部３は、ページバッファメモリ９または画像メモリ１０に格納されている画データ（送信すべく読み取った画データ、他のファクシミリ装置から受信した画データ）に応じて、給紙カセット３１から供給される白色の用紙上に画像記録を行う機能を有する。
【００２３】
ページバッファメモリ９または画像メモリ１０から読み出された画データがレーザ書込器２１に転送され、レーザ書込器２１から画データに基づくレーザ光が感光体ドラム２２の表面に照射されるようになっている。レーザ書込器２１は、レーザ光を発する半導体レーザ光源、レーザ光を等角速度偏向するポリゴンミラー、等角速度で偏向されたレーザ光が感光体ドラム２２上で等角速度で偏向されるように補正するｆ−θレンズなどを有している。
【００２４】
感光体ドラム２２の周囲には、感光体ドラム２２を所定の電位に帯電させる帯電器２３、感光体ドラム２２上に形成された静電潜像にトナーを供給して顕像化する現像器２４、感光体ドラム２２表面に形成されたトナー像を搬送されてきた用紙上に転写する転写器２５、トナー像が転写された用紙から電荷を取り除いて感光体ドラム２２から用紙を引き剥がす除電器２６、トナー像を転写した後に残留したトナーを回収するクリーニング器２７などが配置されている。給紙カセット３１から供給される用紙は、搬送路３２を経て感光体ドラム２２，転写器２５等が配置された画像転写位置に搬送され、その用紙に画像が形成されるようになっている。
【００２５】
画像が形成された用紙は、定着器２８へと搬送され、定着器２８により用紙の表面に画像が定着されるようになっている。画像が定着された用紙は、排紙ローラ２９により外部の排出トレイ３０へ、表面（画像記録面）を上方にしてフェースアップで排出されるようになっている。
【００２６】
また、定着器２８の用紙搬送方向の下流側には、用紙の裏面に画像を記録する際に利用されるスイッチバック路３３が設けられており、スイッチバック路３３は給紙カセット３１の上方を延在して搬送路３２に合流している。用紙の両面に画像を記録する際には、表面に画像が形成された用紙が、スイッチバック路３３によって反転されて搬送路３２を通って再度画像転写位置に搬送され、その裏面に画像が形成されるようになっている。そして、定着器２８により裏面の画像が定着された用紙は、排紙ローラ２９により裏面を上方にして排出トレイ３０へ排出されるようになっている。
【００２７】
次に、このような構成を有するファクシミリ装置２０の動作について説明する。本発明のファクシミリ装置２０は、本来フェースアップ排出機構しか有していないが、他のファクシミリ装置から受信された複数ページの画データに応じた画像を複数枚の用紙に記録する場合、上述したような両面記録機構を使用して、フェースダウン方式のように記録用紙を排出できる。具体的には、１ページ分の画データに応じた画像を給紙カセット３１から供給された用紙の表面に記録した後、その用紙を外部へ排出せずに、スイッチバック路３３に搬送させてその表裏を反転させ、搬送路３２から再度画像転写位置に搬送させ、その用紙の裏面全域に白画像を記録し、裏面を上方にして記録用紙を排出トレイ３０へ排出する。
【００２８】
このようにすることにより、裏面には何も画像が記録されていないことになるので、フェースアップ方式によって記録用紙が排出されても、記録面（表面）が下方で非記録面（裏面）が上方となるフェースダウン方式の排出となる。従って、このようにした場合には、受信した画データを１ページずつ順次用紙に記録していく場合でも、従来例（全ページの画データを格納した後に最終ページから記録）と同様に、画データの受信順に揃えられた記録用紙を得ることができる。
【００２９】
図３は、ファクシミリ通信によって他のファクシミリ装置から受信した画データに応じた画像を用紙に記録する処理の動作手順を示すフローチャートである。
【００３０】
１ページ分の画データを受信し（ステップＳ１）、受信した画データをビットマップ展開してページバッファメモリ９に格納する（ステップＳ２）。次いで、記録部３にて、ページバッファメモリ９に格納されている画データに応じた画像を用紙に記録して記録用紙を排出する（ステップＳ３）。以下、この記録処理について詳細に述べる。
【００３１】
ページバッファメモリ９から読み出された画データはレーザ書込器２１に転送され、レーザ書込器２１から画データに基づくレーザ光が、所定の電位に帯電された感光体ドラム２２の表面に照射されて、静電潜像が形成される。形成された静電潜像は、現像器２４から供給されるトナーにて顕像化される。感光体ドラム２２表面に形成されたトナー像が、給紙カセット３１から搬送路３２を経て搬送されてきた白色の用紙の表面に転写される。表面に画像が形成された用紙は、感光体ドラム２２から引き剥がされて、定着器２８に送られ、画像が定着される。
【００３２】
表面に画像が記録された用紙は、そのまま排出されずに、スイッチバック路３３へ搬送され、スイッチバック路３３にてその表裏が反転された後、搬送路３２を通って再度画像転写位置まで搬送される。この搬送タイミングに同期して、レーザ書込器２１から白画像データに基づくレーザ光が感光体ドラム２２の表面に照射され、その表面に白画像のトナー像が形成されている。そして、用紙の裏面に白画像が記録される。表面に画データに応じた画像、裏面に白画像が記録された用紙は、排紙ローラ２９によりその裏面を上方にして排出トレイ３０へ排出される。
【００３３】
制御部１は、全ページの画データの処理を完了したか否かを判断する（ステップＳ４）。完了していない場合には（Ｓ４：ＮＯ）動作がＳ１に戻り、完了している場合には（Ｓ４：ＹＥＳ）動作が終了する。
【００３４】
このようにした場合には、フェースアップ排出機能しか有していなくても、フェースダウン方式の排出が可能となり、画データの記録面を下方にした複数の記録用紙が、下方から画データの受信順に排出トレイ３０に積層されているため、排出後の積層された記録用紙を一括して裏返すだけで、記録用紙が画データの受信順に揃うことになる。
【００３５】
以上のようにして、本発明のファクシミリ装置２０では、フェースアップ排出機能を有する場合に、両面記録機構（スイッチバック路３３）を使用することによってフェースダウン排出機能を果たせる。この結果、受信した画データを１ページ毎に記録しても、ユーザの面倒な作業を要することなく、記録用紙を容易に画データの受信順に揃えることができる。
【００３６】
従来例では、全ページ分の画データを格納しておく必要があるので、大容量の格納手段が必須であったが、本発明では、画データを１ページ毎に記録することができるため、１ページ分の画データを格納するだけの容量を有するページバッファメモリ９を設けておけば良く、格納手段の容量を大幅に削減できる。そして画像メモリ１０は、マルチ記録処理または時間予約記録処理における画データの格納に使用でき、格納手段を効率的に利用できる。
【００３７】
また、従来例では、受信した画データを符号化圧縮して画像メモリに格納しておき、格納されている符号化圧縮された画データを画像の記録時に復号化する処理が必要となるが、本発明では、このような符号化・復号化処理が不要である。
【００３８】
なお、上述した例では、画データを格納する手段を用途別にページバッファメモリ９と画像メモリ１０とに分ける構成としたが、１つの格納手段にて構成しても良い。この場合には、１つの格納手段（画像メモリ）の１ページ分の画データの容量を通常の画データの格納に割り当て、残りの容量はマルチ記録処理または時間予約記録処理における画データの格納に割り当てるようにすることができ．１つの格納手段を有効に利用できる。
【００３９】
【発明の効果】
以上のように本発明では、片面に画像が記録された用紙を、両面記録を行う記録部を使用して、反転させた後に排出するようにしたので、記録用紙がフェースダウン方式のように排出されることになるため、フェースアップ排出機能のみを有していても、ユーザに手間をかけずに、記録用紙を画データの受信順序に容易に揃えることができる。
【００４０】
また、本発明では、受信した画データに応じた画像を用紙の一方の面に記録した後、その用紙を反転させて再び画像形成手段へ転送させ、画像が記録されていない他方の面に用紙と同色の画像を記録してフェースアップで排出するようにしたので、記録用紙がフェースダウン方式のように排出されることになるため、記録用紙を画データの受信順序に容易に揃えることができると共に、両面記録時に利用する搬送路（スイッチバック路）を使用するため、用紙を反転するための特別な搬送路を設ける必要がなく、装置の大嵩化を抑制できる。
【００４１】
更に、本発明では、通常は受信した画データをページバッファメモリに１ページずつ格納し、マルチ記録処理または時間予約記録処理を行う場合には受信した全ページの画データを画像メモリに格納するようにしたので、画データを格納する手段を効率的に利用できると共に、通常時に使用するページバッファメモリの格納内容を１ページ毎に削除できるため、１ページ分の画データを格納するための容量で十分であり、大容量の画データ格納手段を設ける必要がなくなる。
【図面の簡単な説明】
【図１】本発明のファクシミリ装置の構成を示すブロック図である。
【図２】本発明のファクシミリ装置における記録部の構成例を示す縦断面図である。
【図３】ファクシミリ通信によって他のファクシミリ装置から受信した画データに応じた画像を用紙に記録する処理の動作手順を示すフローチャートである。
【符号の説明】
１  制御部
３  記録部
５  操作部
６  ＲＯＭ
７  ＲＡＭ
９  ページバッファメモリ
１０  画像メモリ
１１  モデム
１２  ＮＣＵ
２２  感光体ドラム
３０  排出トレイ
３１  給紙カセット
３２  搬送路
３３  スイッチバック路
【図１】
2005020300.tif 000003
【図２】
2005020300.tif 000004
【図３】
2005020300.tif 000005